(57)【要約】【課題】複数の太陽電池パネルを直列若しくは並列接続した各系統からの出力を集約して屋内に引き込む引き込みケーブルの数を削減し、屋内への引き込みの施工を容易とした太陽電池発電システムを提供することにある。【解決手段】配線集約引き込みターミナル４０は屋外側に臨み、複数の太陽電池パネルを接続して構成される一系統毎の出力を各別に接続する複数の入力端子部４１と、各入力端子部４１に接続された前記各系統を直列接続若しくは並列接続して複数の系統の直列回路若しくは複数の系統の並列回路を形成して２端子接続に集約する電路とを備えた配線集約部４３と、前記電路に２端子接続により複数の系統の出力を引き込みケーブルに接続するための一つの出力端子部４２とを有する引き込み部４５とからなる。【選択図】図１
2005072101.tif 000002
【特許請求の範囲】
【請求項１】
屋外に設置される複数の太陽電池パネルと、該太陽電池パネルの発電と連携動作して太陽電池パネルの直流出力を交流変換するインバータ装置とからなる太陽電池発電システムにおいて、
屋外側に臨み、複数の太陽電池パネルを接続して構成される一系統毎の出力を各別に接続する複数の入力端子部と、各入力端子部に接続された前記各系統を直列接続若しくは並列接続して複数の系統の直列回路若しくは複数の系統の並列回路を形成して２端子接続に集約する電路と、
前記電路に２端子接続により複数の系統の出力を引き込みケーブルに接続するための一つの出力端子部とを有する配線集約引き込みターミナルを備え、前記引き込みケーブルにより複数の系統の出力を屋内に引き込むことを特徴とする太陽電池発電システム。
【請求項２】
前記配線集約引き込みターミナルを、屋根側に設けられ前記入力端子部及び前記電路を備えている配線集約部と、屋内外に貫通するように野地板に形成された引き込み孔内に配置され、前記電路に接続され配線集約部から導出された集約ケーブルを接続する接続部を屋根側に設けるとともに屋内側に臨む部位に前記接続部に電気的に接続された前記出力端子部を設けた引き込み部とで構成していることを特徴とする請求項１記載の太陽電池発電システム。
【請求項３】
前記引き込み部を、屋根側の野地板面に前記引き込み孔の屋根側開口を覆うように固定される屋根側設置部と、屋内側の野地板面に前記引き込み孔の屋内側開口を覆うように固定される屋内側設置部とで構成し、
屋根側設置部には、下面側に前記引き込み孔内屋根側から挿入する上側円筒部を設け、  屋内側設置部には、上面側に前記引き込み孔内に屋内側から挿入する下側円筒部を設け、  一方の円筒部の孔の内周面に雌ねじ部を、他方の円筒部の外周部に前記雌ねじ部に螺入する雄ねじ部をそれぞれ形成して両筒部を螺子結合自在とし、
一端に前記接続部を設け、他端に前記出力端子部を設けた別の集約ケーブルを屋根側設置部から一端側を導出し、両円筒部を介して屋内側設置部から他端部を導出させるように装着して成ることを特徴とする請求項２記載の太陽電池発電システム。。
【請求項４】
前記配線集約引き込みターミナルを屋根瓦と一体に形成していることを特徴とする請求項１記載の太陽電池発電システム。
【請求項５】
前記配線集約引き込みターミナルは、入力端子部に接続される前記系統の太の出力で発光する発光素子と、該発光素子の通電路をオンオフするスイッチとからなるチェック手段を各入力端子部毎に備えていることを特徴とする請求項１乃至４の何れか記載の太陽電池発電システム。
【請求項６】
前記配線集約引き込みターミナルは、入力端子部に接続される前記系統の電圧チェック用端子を各入力端子部毎に備えていることを特徴とする請求項１乃至５の何れか記載の太陽電池発電システム。
【発明の詳細な説明】
【技術分野】
【０００１】
本発明は、太陽エネルギーを利用して発電を行う太陽電池発電システムに関するものである。
【背景技術】
【０００２】
近年、住宅の屋根を葺く屋根材（屋根パネル）に太陽電池モジュールを組み込んだ太陽電池パネルを利用する住宅用の太陽光発電システムが普及しつつある。
【０００３】
図２５（ａ）はこの太陽電池パネル１００の一例の斜視図を示し、同図（ｂ）は施工例を示す。
【０００４】
この太陽電池パネル１００の施工は屋根瓦の施工と同様に野地板の表面に下地シートが敷設された住宅Ｈの屋根の外面に沿って複数枚を配列することで行われる。
【０００５】
そして太陽電池パネル１００の配線は、その裏面側に張力止めを介して導出された正、負極一対の出力ケーブル１０１、１０１を介してシステムに応じた所定枚数の太陽電池パネル１００を互いに直列に接続し、且つこの直列接続の始端と末端に位置する出力ケーブル１０１を屋内へ延びた引き込みケーブルに接続することで直列一系統が構成するようになっている。
【０００６】
そしてこの直列一系統が屋根全体上で多数連接され、屋根上の各太陽電池パネル１００の太陽電池モジュールで発電した電力が屋内に設けられたインバータ装置を通じて商用電力系統に連係され、屋内電気配線に供給される太陽電池発電システムが構築されるのである。
【０００７】
ところで、上記のような太陽電池発電システムでは、屋内へ引き込み配線を行う場合には引き込みケーブルを直接屋内へ引き下ろす場合が一般的であり、そのため下地シート及び野地板に引き込み孔をあけ、その引き込み孔から屋内へ引き込み、その後に引き込み孔の開口部位を防水するために防水処理を施すのであるが、直列一系統毎に引き込みケーブルを引き込む場合には、上記の処理を各引き込みケーブルに対応する引き込み孔毎に必要とするため、作業効率が非常に悪いことになる。
【０００８】
そこで従来、防水処理を不要とするための配線コネクタが従来提供されている（特許文献１参照）。
【特許文献１】特開平１１−２１７９号公報（段落番号００２４，図３）
【発明の開示】
【発明が解決しようとする課題】
【０００９】
ところで、上記の特許文献１に記載の配線コネクタを用いる場合にも各系統毎にケーブルを引き込まなければならず、そのため各配線コネクタのために野地板を貫通する孔を空ける必要があるため、施工上の面倒は依然あった。また屋内側で各系統を接続する電気工事も必要であった。
【００１０】
本発明は、上記の点に鑑みて成されたもので、その目的とするところは、複数の太陽電池パネルを直列若しくは並列接続した各系統からの出力を集約して屋内に引き込むことで引き込みケーブルの数が削減され、屋内への引き込みのための施工が容易に行え、且つ屋内での各系統を集約するための電気工事が不要な太陽電池発電システムを提供することにある。
【課題を解決するための手段】
【００１１】
上記目的を達成するために、請求項１の発明では、屋外に設置される複数の太陽電池パネルと、該太陽電池パネルの発電と連携動作して太陽電池パネルの直流出力を交流変換するインバータ装置とからなる太陽電池発電システムにおいて、屋外側に臨み、複数の太陽電池パネルを接続して構成される一系統毎の出力を各別に接続する複数の入力端子部と、各入力端子部に接続された前記各系統を直列接続若しくは並列接続して複数の系統の直列回路若しくは複数の系統の並列回路を形成して２端子接続に集約する電路と、前記電路に２端子接続により複数の系統の出力を引き込みケーブルに接続するための一つの出力端子部とを有する配線集約引き込みターミナルを備え、前記引き込みケーブルにより複数の系統の出力を屋内に引き込むことを特徴とする。
【００１２】
請求項１の発明によれば、複数の太陽電池パネルを直列又は並列に接続して構成される系統からの出力ケーブルを屋根側で配線集約引き込みターミナルの入力端子部に接続するだけで、２端子接続の出力端子部に集約して外部へ出力することができ、そのため出力端子部に一本の引き込みケーブルを接続するだけで、屋内に引き込むことが可能となり、そのため配線施工が容易となる上に、野地板に設ける引き込み孔の数も各系統毎に設ける場合に比して削減でき、引き込み処理の施工も容易となり、また屋根側で各系統の出力ケーブルを入力端子部に接続するだけでよいため、屋外側での接続工事が簡単に完了し、集約のための屋内での面倒な電気工事が不要となる。
【００１３】
請求項２の発明では、請求項１の発明において、前記配線集約引き込みターミナルを、屋根側に設けられ前記入力端子部及び前記電路を備えている配線集約部と、屋内外に貫通するように野地板に形成された引き込み孔内に配置され、前記電路に接続され配線集約部から導出された集約ケーブルを接続する接続部を屋根側に設けるとともに屋内側に臨む部位に前記接続部に電気的に接続された前記出力端子部を設けた引き込み部とで構成していることを特徴とする。
【００１４】
請求項２の発明によれば、各系統からの出力ケーブルを屋根側で接続する位置と、屋内側へ引き込みケーブルにより引き込む位置とを別に設定することが可能で、配線設計が容易となる。
【００１５】
請求項３の発明では、請求項２の発明において、 前記引き込み部を、屋根側の野地板面に前記引き込み孔の屋根側開口を覆うように固定される屋根側設置部と、屋内側の野地板面に前記引き込み孔の屋内側開口を覆うように固定される屋内側設置部とで構成し、屋根側設置部には、下面側に前記引き込み孔内屋根側から挿入する上側円筒部を設け、屋内側設置部には、上面側に前記引き込み孔内に屋内側から挿入する下側円筒部を設け、一方の円筒部の孔の内周面に雌ねじ部を、他方の円筒部の外周部に前記雌ねじ部に螺入する雄ねじ部をそれぞれ形成して両筒部を螺子結合自在とし、一端に前記接続部を設け、他端に前記出力端子部を設けた別の集約ケーブルを屋根側設置部から一端側を導出し、両円筒部を介して屋内側設置部から他端部を導出させるように装着して成ることを特徴とする
請求項３の発明によれば、屋根側設置部の上側円筒部と屋内側設置部の下側円筒部との螺合によって結合する構成であるため野地板の厚さに適合させることができる。
【００１６】
請求項４の発明では、請求項１の発明において、前記配線集約引き込みターミナルを屋根瓦と一体に形成していることを特徴とする。
【００１７】
請求項４の発明によれば、設置場所の瓦と兼用できるため、配線集約引き込みターミナルの設置場所を考慮する必要がなく、そのため配線設計が容易となり、また瓦を葺く施工と同時に設置することができる。
【００１８】
請求項５の発明では、請求項１乃至４の何れかの発明において、前記配線集約引き込みターミナルは、入力端子部に接続される前記系統の太の出力で発光する発光素子と、該発光素子の通電路をオンオフするスイッチとからなるチェック手段を各入力端子部毎に備えていることを特徴とする。
【００１９】
請求項５の発明によれば、発光素子の発光で系統側との接続状態を確認することができ、また発光により配線施工時の明かりを確保することができる。
【００２０】
請求項６の発明では、請求項１乃至５の何れかの発明において、前記配線集約引き込みターミナルは、入力端子部に接続される前記系統の電圧チェック用端子を各入力端子部毎に備えていることを特徴とする。
【００２１】
請求項６の発明によれば、各入力端子部に接続される系統の太陽電池パネルの異常や配線ミスを確認するための電圧チェックが行える。
【発明の効果】
【００２２】
本発明は、複数の太陽電池パネルを直列又は並列に接続して構成される系統からの出力ケーブルを屋根側で配線集約引き込みターミナルの入力端子部に接続するだけで、２端子接続の出力端子部に集約して外部へ出力することができ、そのため出力端子部に一本の引き込みケーブルを接続するだけで、屋内に引き込むことが可能となり、そのため配線施工が容易となる上に、野地板に設ける引き込み孔の数も各系統毎に設ける場合に比して削減でき、引き込み処理の施工も容易となり、また屋根側で各系統の出力ケーブルを入力端子部に接続するだけでよいため、屋外側での接続工事が簡単に完了し、集約のための屋内での面倒な電気工事が不要となるという効果がある。
【発明を実施するための最良の形態】
【００２３】
以下本発明を最良となる実施形態により説明する。
【００２４】
（実施形態１）
本実施形態の太陽光発電システムで使用する太陽電池パネル１は、図２（ａ）（ｂ）に示すように戸建て住宅Ｈの屋根を葺く瓦状のパネル本体２に太陽電池モジュール３を内蔵したもので、パネル本体２は耐候性を有する合成樹脂材料により扁平な矩形平瓦状に形成されている。太陽電池モジュール３は多数の太陽電池セル（図示せず）が直列に接続されて矩形平板状に形成され、各太陽電池セルの受光面３ａをパネル本体２の前面に露出させる形でパネル本体２の内部に納装される。
【００２５】
パネル本体２は、その表面であって建物の配設面（屋根）に対向しない面である側面の一端部に第１の端子部４が設けられ、同じ側面の他端部に第２の端子部５が設けられている。第１の端子部４は、図３に示すように太陽電池モジュール３の正極に接続された正極端子４ａと、正極端子４ａと絶縁され且つパネル本体２の厚み方向（図２における上下方向）に直交する方向に並べて配置された送り端子４ｂとを具備する。同様に第２の端子部５は、太陽電池モジュール３の負極に接続された負極端子５ａと、負極端子５ａと絶縁され且つパネル本体２の厚み方向に直交する方向に並べて配置された送り端子５ｂとを具備する。正極端子４ａ、負極端子５ａ並びに送り端子４ｂ，５ｂは、互いに対向する先端部にて後述する栓刃を挟持する一対の刃受ばねからなる刃受によって構成されている。
【００２６】
またパネル本体２の側面の両端部には凹所６が設けられている。この凹所６は平面視略十字状であって一端側がパネル本体２の他の側面に開口する第1凹部６ａと、第1凹部６ａの中央部に設けられた平面視略矩形の第２凹部６ｂとからなり、正極端子４ａ又は負極端子５ａを構成する刃受と、送り端子４ｂ，５ｂを構成する刃受とが凹所６の底面（第２凹部６ｂの底面）に植設されて第１及び第２の端子部４，５がそれぞれ形成されている。さらに、第２凹部６ｂ内には刃受を囲む略ロ字形の隔壁部６ｃが設けられている。
【００２７】
接続体１０は、図３及び図４に示すように第１の端子部４の正極端子４ａと接触導通する接続端子１１ａ並びに送り端子４ｂと接触導通する送り用接続端子１１ｂを具備して太陽電池パネル１の第１の端子部４に接続する第１のコネクタ１１と、負極端子５ａに接触導通する接続端子１２ａ並びに送り端子５ｂと接触導通する送り用接続端子１２ｂを具備して太陽電池パネル１の第２の端子部５に接続する第２のコネクタ１２と、第１のコネクタ１１と第２のコネクタ１２を連結する連結部１３とを備えている。第１及び第２のコネクタ１１，１２は同一の構造を有するものであって、絶縁性を有する合成樹脂材料により矩形板状に形成された主部１４と、主部１４の前面より突設された角筒状の隔壁部１５と、隔壁部１５の内部を二分するように主部１４の前面より突設された平板状の隔絶壁１６とが連結部１３とともに一体に形成されている。接続端子１１ａ，１２ａ並びに送り用接続端子１１ｂ，１２ｂは全て同一形状及び同一寸法の矩形平板状に形成された栓刃からなり、隔壁部１５の内部を隔絶壁１６で二分して形成された各室内における主部１４の前面より、互いに一直線上に並ぶ形で突設されている（図４参照）。ここで、第１のコネクタ１１の接続端子１１ａ及び送り用接続端子１１ｂと、第２のコネクタ１２の接続端子１２ａ及び送り用接続端子１２ｂとは互いに導電板からなる電路（図示せず）によってそれぞれ接続されており、これら２つの電路がインサート成型により連結部１３の内部に収納されている。また、主部１４の側面には連結部１３と反対向きに突出する矩形平板状の突片１７がそれぞれ主部１４と一体に形成されている。さらに主部１４の背面には、指で摘むことができるように断面形状を鈎形とした操作片１８が後方へ突設されている（図５参照）。
【００２８】
而して、複数の太陽電池パネル１を横一列に並べて屋根の下地シート（図示せず））上に設置することで、図６に示す同列の隣接する二つの太陽電池パネル１、１の一方における第１の端子部４と、他方における第２の端子部５とが凹所６を連通させる形で厚み方向と直交する方向に並べて配置され、このように並べて配置された２つの凹所６内に隔壁部１５が突設されている前面側より接続体１０を挿入すれば、第１の端子部４の正極端子４ａ及び送り端子４ｂを構成する各刃受に第１のコネクタ１１の接続端子１１ａ及び送り用接続端子１１ｂを構成する各栓刃が差込接続され、隣接する２つの太陽電池パネル１、１の第１の端子部４と第２の端子部５の間が接続体１０によって接続される。
【００２９】
第１及び第２の端子部４，５に第１及び第２のコネクタ１１，１２を接続した状態では、図７に示すように連通する２つの凹所６内に接続体１０が嵌入され、パネル本体２の側面には接続体１０が突出しないように凹所６の深さ寸法及び接続体１０の前後方向の寸法が設定してある。このとき第２凹部６ｂ内に設けられている隔壁部６ｃの内側に第１及び第２のコネクタ１１，１２の隔壁部１５を嵌合し、隔壁部６ｃ、１５により雨水の侵入を阻止して各端子４ａ，４ｂ、５ａ，５ｂ、１１ａ，１１ｂ、１２ａ，１２ｂに水がかかるのを防いでいる。
【００３０】
また、第１及び第２のコネクタ１１，１２の操作片１８を指で摘んで手前に引っ張ることにより、第１及び第２の端子部４，５と第１及び第２のコネクタ１１，１２の接続状態を解除して接続体１０を取り外すことができる。
【００３１】
上述のようにして屋根の軒と平行に設置された複数の太陽電池パネル１を接続体１０で接続することで各太陽電池パネル１が備える太陽電池モジュール３が直列接続され、さらに両端に位置する２つの太陽電池パネル１の第１の端子部４又は第２の端子部５に短絡コネクタ２０若しくは出力コネクタ３０が択一的に接続されることで一つの系統が構成される。
【００３２】
短絡コネクタ２０は、図８及び図９に示すように外観の構造が接続体１０の第１及び第２のコネクタ１１，１２と共通であって、栓刃からなる一対の接続端子２１が前面より突出する矩形平板状の主部２２と、これら２つの接続端子２１を囲むように主部２２の前面に突設された角筒状の隔壁部２３と、隔壁部２３の内部を二分するように主部２２の前面に突設された平板状の隔絶壁２４と、主部２２の両側面より突出する矩形平板状の一対の突片２５と、主部２２の背面に突出する断面形状が鈎形の操作片２６とが絶縁性を有する合成樹脂材料により一体に形成され、２つの接続端子２１が主部２２にインサート成型されている電路（図示せず）によって接続されてなる。
【００３３】
また出力コネクタ３０は、図１０及び図１１に示すように外観の構造が短絡コネクタ２０とほぼ共通であって、栓刃からなる一対の接続端子３１が前面より突出する矩形平板状の主部３２と、これら２つの接続端子３１を囲むように主部３２の前面に突設された角筒状の隔壁部３３と、隔壁部３３の内部を二分するように主部３２の前面に突設された平板状の隔絶壁３４と、主部３２の一方の側面より突出する矩形平板状の突片３５と、主部３２の背面に突出する断面形状が鈎形の操作片３６とが絶縁性を有する合成樹脂材料により一体に形成され、２つの接続端子３１が主部３２にインサート成型されている電路（図示せず）を介して主部３２の他方の側面より導出された一対の出力ケーブル３７にそれぞれ各別に接続されてなる。
【００３４】
したがって、一つの系統を構成する複数の太陽電池パネル１の一端、例えば、図２（ａ）の例であれば右端に位置する太陽電池パネル１の第１の端子部４に短絡コネクタ２０を接続することにより（図１２参照）、第１の端子部４の正極端子４ａと送り端子４ｂが短絡コネクタ２０の一対の接続端子２１を介して短絡されることになる。このとき当該系統においては、他端（左端）に位置する太陽電池パネル１の第２の端子部５の負極端子５ａと送り端子５ｂとの間に他の太陽電池パネル１の太陽電池モジュールが直列に接続されることになる。そして、この左端に位置する太陽電池パネル１の第２の端子部５に出力コネクタ３０を接続すれば（図１３参照）、第２の端子部５の負極端子５ａが出力コネクタ３０の一方の接続端子３１を介して片方の出力ケーブル３７に接続されるとともに、第２の端子部５の送り端子５ｂが出力コネクタ３０の他方の接続端子３１を介してもう片方の出力ケーブル３７に接続されるため、一つの系統を構成する複数の太陽電池パネル１の出力を出力コネクタ３０の出力ケーブル３７を通して外部に取り出すことができる。
【００３５】
なお、第１及び第２の端子部４，５は同一の構造を有しており、しかも、短絡コネクタ２０並びに出力コネクタ３０は一対の接続端子２１，３１がそれぞれ同一形状に形成され、左右を反転させた状態でも第１又は第２の端子部４，５の何れとも接続可能に構成されている。したがって、図２に示した例では一つの系統の右端に位置する太陽電池パネル１の第１の端子部４に短絡コネクタ２０を接続するとともに左端に位置する太陽電池パネル１の第２の端子部５に出力コネクタ３０を接続しているが、これとは逆に左端に位置する太陽電池パネル１の第２の端子部５に短絡コネクタ２０を接続するとともに右端に位置する太陽電池パネル１の第１の端子部４に出力コネクタ３０を接続することも可能であって、何れの端の太陽電池パネル１からでも出力コネクタ３０により太陽電池モジュール３の出力を取り出すことが可能であるから配線の引き回しの自由度が高くなっている。
【００３６】
ところで各系統の両端の太陽電池パネル１と下り棟との間には、図２（ａ）に示すように通常の屋根パネル２００が配設されるが、この屋根パネル２００に出力ケーブル３７を通す挿通路２０１が設けられる。この挿通路２０１は、図１３に示すように屋根パネル２００の背面及び軒と平行な方向に対向する両側面に開口する溝からなり、屋根パネル２００を太陽電池パネル１に並べて配置することでパネル本体２の側面端部に設けられた第1凹部６ａの側面開口と連通し、第1凹部６ａを通して出力コネクタ３０の出力ケーブル３７が挿通路２０１に挿通される。
【００３７】
また、図２に示すように屋根の棟から軒にかけて配置された複数の太陽電池パネル１により複数の系統が構成されているが、本実施形態においては、これら複数の系統毎に設けられる出力コネクタ３０の出力ケーブル３７を集約して住宅Ｈの屋内に引き込むための配線集約引き込みターミナル４０を備えている。
【００３８】
配線集約引き込みターミナル４０は、図１（ａ）に示すように複数の出力コネクタ３０の出力ケーブル３７と接続される複数の入力端子部４１と、これら複数の入力端子部４１に接続される各系統を図１（ｂ）又は（ｃ）に示すように直列又は並列に接続する電路と、この電路による複数の系統の直列回路若しくは並列回路が接続される出力端子部４２とを具備する。
【００３９】
入力端子部４１は、出力ケーブル３７の先端に設けられたコネクタ（図示せず）が挿抜自在に接続されるコネクタ４１ｂを接続端子として各線の先端に有する２線の入力ケーブル４１ａからなり、複数の入力ケーブル４１ａが直方体状に形成された配線集約部４３の内部に引き込まれている。
【００４０】
配線集約部４３は内部には上記の電路を設け、基部には矩形の設置部４４を設けており、設置部４４の底面中央からは円柱状の引き込み部４５が突出している。設置部４４の四隅には図１４に示すように配線集約部４３を屋根に固定ねじ６５により固定するためのねじ挿通孔４４ａが貫設されている。また引き込み部４５は図１４に示すように屋根の下地シート６０及び野地板６１を貫通するように設けられる引き込み孔６２に防水パッキン４６を介して挿通されるものであって、引き込み孔６２に挿通される先端部に屋内配線用の引き込みケーブル４３を接続する出力端子部４２を設けている。
【００４１】
この出力端子部４２は従来周知の一対の速結端子（ねじなし端子）からなり、引き込み部４５の先端面に開口する電線挿入孔４５ａから挿入された電線を鎖錠ばね（図示せず）で狭持して電線の接続と抜け止めを行い、同じく引き込み部４５の先端面に開口する解除孔４５ｂに挿通した治具で解除釦（図示せず）を操作して鎖錠ばねの鎖錠を解除し、電線を引き抜きことができるようになっている。
【００４２】
尚入力ケーブル４１ａの基部には防水キャップ６３を被挿して配線集約部４３内への雨水の浸入を防止している。
【００４３】
上述のように複数の太陽電池パネル１からなる系統の出力ケーブル３７を配線集約引き込みターミナル４０を用いて集約すれば、複数の系統の出力ケーブル３７を個別に屋内に引き込む場合に比べて配線作業が簡素化でき、しかも、屋根側で接続するため、屋内側で集約するための電気工事が不要なため、複数の出力ケーブル３７がどの系統に対応するものであるかといった識別を行う手間が省けるという利点もある。
【００４４】
（実施形態２）
上記実施形態１の配線集約引き込みターミナル４０では配線集約部４３の下面に円柱状の引き込み部４５を一体に突出させ、その引き込み部４５の下端面に、引き込み部４５の内部に設けた出力端子部４２の速結端子に対応する電線挿通孔４５ａを設けた構成となっているが、本実施形態では図１５に示すように配線集約引き込みターミナル４０を配線集約部４３と、引き込み部４５とを別体に形成し、図１に示すように屋根側で系統からの出力ケーブル３７を入力端子部４１に接続させる位置と、屋内に引き込む位置とを異なる位置とすることができるようにした点に特徴がある。
【００４５】
つまり本実施形態の配線集約部４３は実施形態１の配線集約部４３と同様に直方体状で基部に取り付けのための設置部４４を設け、一側面より導出した入力ケーブル４１ａからなる各入力端子部４１に各系統の出力ケーブル３７を接続し、内部に設けた電路により各系統を直列接続若しくは並列接続し、この直列回路の両端若しくは並列回路に並列に接続された２心の集約ケーブル７０を端面より導出してある。
【００４６】
集約ケーブル７０は各心線の先端にコネクタ７０ａを先端に有し、このコネクタ７０ａにより引き込み部４５の集約ケーブル７１の各心線の先端に設けたコネクタ７１ａと接続することができるようになっている。
【００４７】
引き込み部４５は、矩形状の設置体４５ａと設置体４５ａの上面に載置するカバー４５ｂと、設置体４５ａの下面４５ａの下面中央より下方に突出させた円筒部４５ｃとからなり、カバー４５ｂを外した状態で集約ケーブル７１の一端側を設置体４５ａの一側面から導出させるるとともに、他端側を設置体４５ａの上面中央の開口から円筒部４５ｃに挿通させて円筒部４５ｃの下端開口より外部に導出させ、この状態でカバー４５ｂを設置体４５ａ上に載置してカバー４５ｂを設置体４５ａとともに野地板に固定する構成となっている。円筒部７５ｃの下面開口より導出させた集約ケーブル７１の他端の各心線の先端に出力端子部４２を構成するコネクタ７１ｂを設けてある
而して本実施形態では、配線集約部４３を各系統の出力ケーブル３７と接続するのに都合の良い位置、たとえば図１６のように隅棟瓦３００付近の野地板（図示せず）上に下地シート（図示せず））を介してねじ固定し、一方集約ケーブル７０のコネクタ７０ａに、集約ケーブル７１のコネクタ７１ａを接続できる範囲で且つ引き込みに都合が良い位置において、下地シート及び野地板に貫通させた引き込み孔（図示せず）内に引き込み部４５の円筒部４５ｂを屋根側から挿入し、設置体４５ａ及びカバー４５ｂの四隅に設けたねじ挿通孔４５ｄに挿通した固定ねじ（図示せず）により下地シートを介して野地板にカバー４５ａとともに設置体４５ａを固定する。この際引き込み孔の上端開口周囲を囲むリング状の防水パッキン（図示せず）を下地シートと設置体４５ａとの間に介在させ、引き込み孔に対する防水を図っている。
【００４８】
そして集約ケーブル７０の先端のコネクタ７１ｂに引き込みケーブル（図示せず）のコネクタを接続することで、屋根に配設された複数の太陽電池パネル１からなる各系統の出力を集約した形で屋内に引き込むことができることになる。
【００４９】
尚図１７に示すように集約ケーブル７０の基部にも，入力ケーブル４１ａと同様に防止キャップ６３を被挿してある。
【００５０】
引き込み部４５を用いず配線集約部４３から導出している集約ケーブル７０の先端のコネクタ７０ａを出力端子部とし、引き込みケーブルを屋内に引き込むための引き込み部として用いることもできる。
【００５１】
（実施形態３）
上記実施形態２は引き込み部４５を屋根側で取り付ける構造であったが、本実施形態は、この引き込み部４５を屋根側と、屋内側とにそれぞれ取り付けられる屋根側設置部４５０と屋内側設置部４５１とに図１８に示すように分離できる点に特徴がある。なお配線集約部４３は実施形態２と同じものを用いるので、ここでは配線集約部４３についての説明は省略する。
【００５２】
さて本実施形態の引き込み部４５の屋根側設置部４５０は、実施形態２の引き込み部４５と同様に矩形状の設置体４５０ａと、この設置体４５０ａの上面に載置されるカバー４５０ｂと、設置体４５０ａの下面中央部から下方向に一体突出させた下側円筒部４５０ｃとで構成され、カバー４５０ｂを外した状態で上記集約ケーブル７１の一端側を設置体４５０ａの一側面から導出させるるとともに、他端側を設置体４５０ａの上面中央の開口から上側円筒部４５０ｃに挿通させて上側円筒部４５０ｃの下端開口より外部に導出させることができるようになっている。そして集約ケーブル７１は両端の各心線の先端にコネクタ７１ａ、７１ｂを備えて、コネクタ７１ａは配線集約部４３からの集約ケーブル７０との間で接続するための接続端子を、またコネクタ７１ａは引き込みケーブルを接続するための出力端子部４１を構成している。
【００５３】
一方屋内側設置部４５１は、矩形状の設置体４５１ａと、この設置体４５１ａの下面側に配置されるカバー４５１ｂと、設置体４５１ａの上面中央部から上方向に一体突出させた上側円筒部４５１ｃとで構成され、カバー４５１ｂを外した状態で上記屋根側設置部４５０の上側円筒部４５０ｃから導出された集約ケーブル７１の他端側を下側円筒部４５１ｃの上面開口から下側円筒部４５１の下面開口より設置体４５１ａの下方に導出させることができるようになっている。そして上側円筒部４５０ｃの内径より下側円筒部４５１ｃの外径をやや小さくして、上側円筒部４５０ｃの下部内周面に雌ねじ部４５０ｄを形成し、下側円筒部４５１ｃの上部外周面に雄ねじ部４５１ｄを形成し、下側円筒部４５１ｃの上部を上側円筒部４５０ｃ内に図１９に示すように螺入締結させることで両円筒部４５０ｃ、４５１ｃを連結できるようになっている。
【００５４】
而して本実施形態の引き込み部４５を取り付けるに当たっては、まず屋根側設置部４５０の上側円筒部４５１ｃを野地板６１に貫通させた引き込み孔６２の上面開口からに屋根側設置体４５０ａの上側円筒部４５０ｃを挿入して設置体４５０ｃを野地板６１上に載置し、この状態で集約ケーブル７１を上側円筒部４５０ｃに上側から挿通させるとともに一端側を設置体４５０ａの上面に這わせながら一側面から導出させ、この状態でカバー４５０ｂを設置体４５０ａ上に防水ゴム６４を介して載置し、設置体４５０ａ及びカバー４５０ｂの４隅に形成したねじ挿通孔４５０ｅを介して固定ねじ６５を野地板６１に螺入締結してカバー４５０ｂとともに設置体４５０ａを固定する。防水ゴム６４は上側円筒部４５０ｃを囲むように配置される環状のものであって、上記螺入締結により上面が設置体４５０ａに密着し、下面が野地板６１に密着することで、引き込み孔６２の上面開口に雨水が浸入するのを防止する。尚図１９では下地シートを省略しているが通常野地板６１上には下地シートが載置される。
【００５５】
ここで上記集約ケーブル７１は、上側円筒部４５０ｃの下面開口から引き込み孔６２内を経て屋内側に他端を導出された状態にある。
【００５６】
次に屋内側設置部４５１を取り付けるに当たっては、まずカバー４５１ｂを外した状態で下側円筒部４５１ｃの上面開口から集約ケーブル７１の他端側を導入して、下面開口から導出させ、この状態で下側円筒部４５１ｃを引き込み孔６２内に屋内側から挿入するとともに、屋内側設置体４５１ｃの上面に下側円筒部４５１ｃを囲むように配置した環状の防水ゴム６４が野地板６１下面に密着する位置まで下側円筒部４５１ｃを上側円筒部４５０ｃに螺入締結させる。この後集約ケーブル７１を屋内側設置体４５１ｃの下面に這わせながら屋内側設置体４５１ｃの一側面より導出させた状態でカバー４５１ｂを屋内側設置体４５１ｃの下面に押し当てながら、カバー４５１ｂ及び屋内側設置体４５１ｃの４隅に設けたねじ挿通孔４５１ｅを介して固定ねじ６５を野地板６１下面に螺入締結し、設置体４５１ｃとともにカバー４５１ｂを野地板６１に固定する。
【００５７】
このようにして屋根側設置部４５０と屋内側設置部４５１とを結合することで引き込み部４５が屋根部に取り付けられることになる。そして集約ケーブル７１の先端の出力端子部４１を構成するコネクタ７１ｂに引き込みケーブル（図示せず）のコネクタを接続することで、屋根に配設された複数の太陽電池パネル１からなる各系統の出力を集約した形で屋内に引き込むことができることになる。
【００５８】
尚本実施形態の場合、野地板６１の厚さに対しては、円筒部４５０ｃ、４５１ｃの螺合量を調整することで対応できるようになっている。
（実施形態４）
本実施形態は、配線集約部４３の各入力端子部４１に接続される各系統の出力回路が正常か否かをチェックするために、図２０に示すように各入力端子部４１の対の接続端子間にスイッチＳＷと限流用抵抗Ｒと発光ダイオードＬＥＤの直列回路を並列接続し、スイッチＳＷをオンすることで限流用抵抗Ｒと発光ダイオードＬＥＤの直列回路を当該入力端子部４１の接続端子間に接続し、当該入力端子部４１に接続される系統の接続状態が正常であるか否かを系統の出力により発光ダイオードＬＥＤが点灯するか否かで確認できるようにした点に特徴がある。
【００５９】
図２１は実施形態１の配線集約引き込みターミナル４０の引き込み部４５の下面に上記チェック手段を設けた場合を示しており、各入力端子部４１に対応するスイッチＳＷの操作部と、発光ダイオードＬＥＤを露設してある。
【００６０】
而して本実施形態では、スイッチＳＷをオンさせることで、当該スイッチＳＷに対応する入力端子部４１に系統が正常に接続されている場合当該系統の太陽電池パネル１の出力により限流用抵抗Ｒを介して発光ダイオードＬＥＤに電流が流れて発光ダイオードＬＥＤが発光する。一方正常に接続されていない場合には点灯せず、当該系統が断線等により正常に接続されていないことが分かることになる。尚チェックを行わない場合にはスイッチＳＷをオフ状態にしておく。また配線施工時の照明として発光ダイオードＬＥＤの光を利用することもできる。本実施形態は実施形態２や３の構成にも適用できる。
（実施形態５）
本実施形態は図２２に示すように配線集約部４３の各入力端子部４１の対の接続端子に電気的に接続されている対の電圧チェック端子６６を設け、対の電圧チェック端子６６にテスターなどの電圧測定器の測定棒を接触させることで、電圧チェックが行えるようにした点に特徴がある。
【００６１】
図２３は実施形態１の配線集約引き込みターミナル４０の配線集約部４３の上面に各対の電圧チェック端子６６に対応する対の電圧チェック孔６７を各入力端子部４７に対応して設けてある。
【００６２】
而してテスターなどの電圧測定器の測定棒を測定したい入力端子部４１に対応した電圧チェック孔４７に挿入して内部の電圧チェック端子６６に接触させることで、当該入力端子部４１の両端電圧を外部からテスター等によりチェックすることができる。つまり当該入力端子部４１に接続されている系統の太陽電池パネル１の出力具合を知ることができ、同時に太陽電池パネル１の接続異常も検出することができる。尚本実施形態は実施形態２乃至３の構成にも適用できる。
（実施形態６）
本実施形態は図２４に示すように配線集約引き込みターミナル４０を瓦体３００と一体とし、引き込み位置に当該瓦体３００を葺くことで施工ができるようにし、配線集約引き込みターミナル４０の設置位置を設定を容易にしたものである。
【図面の簡単な説明】
【００６３】
【図１】本発明の実施形態１を示し、（ａ）は同上の配線集約引き込みターミナル４０の斜視図、（ｂ）は同上の配線集約部の回路例図、（ｃ）は同上の配線集約部の別の回路例図である。
【図２】（ａ）は複数の太陽電池パネルを屋根に配設した状態の斜視図、（ｂ）は太陽電池パネルが屋根に配設された住宅の一部省略した斜視図である。
【図３】同上における太陽電池パネルの要部を示す斜視図である。
【図４】同上における他の構造の太陽電池パネルの要部を示す斜視図である。
【図５】同上における接続部の前面から見た斜視図である。
【図６】同上における太陽電池パネル及び接続部を示す斜視図である。
【図７】同上における太陽電池パネルの第１及び第２の端子部に接続部を接続した状態の一部省略した斜視図である。
【図８】同上における短絡コネクタ部の前面から見た斜視図である。
【図９】同上における太陽電池パネルと短絡コネクタ部を背面側から見た斜視図である。
【図１０】同上における出力コネクタ部を前面側から見た斜視図である。
【図１１】同上における出力コネクタ部を背面から見た斜視図である。
【図１２】同上における太陽電池パネルの第１の端子部に短絡コネクタ部を接続した状態の一部省略した斜視図である。
【図１３】同上における太陽電池パネルの第２の端子部に出力コネクタ部を接続した状態の一部省略した斜視図である。
【図１４】同上における配線集約引き込みターミナルの設置説明図である。
【図１５】本発明の実施形態２における配線集約引き込みターミナルの分解斜視図である。
【図１６】同上の施工例の説明図である。
【図１７】同上の配線集約引き込みターミナルの配線集約部の斜視図である。
【図１８】本発明の実施形態３における配線集約引き込みターミナルの分解斜視図である。
【図１９】同上の施工説明図である。
【図２０】本発明の実施形態４における配線集約引き込みターミナルの配線集約部の回路図である。
【図２１】同上の配線集約引き込みターミナルの下面図である。
【図２２】本発明の実施形態５における配線集約引き込みターミナルの配線集約部の回路図である。
【図２３】同上の配線集約引き込みターミナルの上面図である。
【図２４】本発明の実施形態５における配線集約引き込みターミナルの要部断面図である。
【図２５】従来例を示し、（ａ）は太陽電池パネルの斜視図、（ｂ）は太陽電池パネルが屋根に配設された住宅の一部省略した斜視図である。
【符号の説明】
【００６４】
４０  配線集約引き込みターミナル
４１  入力端子部
４２  出力端子部
４３  配線集約部
４５  引き込み部
【図１】
2005072101.tif 000003
【図２】
2005072101.tif 000004
【図３】
2005072101.tif 000005
【図４】
2005072101.tif 000006
【図５】
2005072101.tif 000007
【図６】
2005072101.tif 000008
【図７】
2005072101.tif 000009
【図８】
2005072101.tif 000010
【図９】
2005072101.tif 000011
【図１０】
2005072101.tif 000012
【図１１】
2005072101.tif 000013
【図１２】
2005072101.tif 000014
【図１３】
2005072101.tif 000015
【図１４】
2005072101.tif 000016
【図１５】
2005072101.tif 000017
【図１６】
2005072101.tif 000018
【図１７】
2005072101.tif 000019
【図１８】
2005072101.tif 000020
【図１９】
2005072101.tif 000021
【図２０】
2005072101.tif 000022
【図２１】
2005072101.tif 000023
【図２２】
2005072101.tif 000024
【図２３】
2005072101.tif 000025
【図２４】
2005072101.tif 000026
【図２５】
2005072101.tif 000027